(57)【要約】【課題】  受信中の画面の所望の画像を静止画データとして取り込み、その静止画データに付加情報を付けて記録媒体に記録することができるようにする。【解決手段】  画面ショットキーが押下されたとき、受信中の画面の画像を静止画データとして取り込んで、取り込まれた静止画データに受信情報を付加して記録媒体に記録し、画面ショットキーが押下されたとき、受信中の画面の音声データを所定時間分蓄積して、画面ショットキーが所定時間継続して押下されている場合、蓄積された音声データを記録媒体に記録された静止画データに関連付けて記録し、画面ショットキーが所定時間以上継続して押下されている場合、画面ショットキーが押下されている間に、音声入力がある場合、その音声入力を音声認識して文字データに変換して、変換された文字データを記録媒体に記録された静止画データに関連付けて記録媒体に記録するようにする。【選択図】        図５
2007180744.tif 000002
【特許請求の範囲】
【請求項１】
記録媒体に映像音声データを記録再生する記録再生装置であって、
受信中の画面の画像の取り込みを指令する画面ショットキーと、前記画面ショットキーが押下されたとき、受信中の画面の画像を静止画データとして取り込んで、取り込まれた静止画データに受信情報を付加して記録媒体に記録する第１の記録手段と、前記画面ショットキーが押下されたとき、受信中の画面の音声データを所定時間分蓄積する蓄積手段と、前記画面ショットキーが所定時間継続して押下されている場合、前記蓄積手段に蓄積された音声データを前記第１の記録手段により記録媒体に記録された静止画データに関連付けて記録する第２の記録手段と、前記画面ショットキーが所定時間以上継続して押下されている場合、コメントの音声入力中であることを画面に表示して報知する報知手段と、前記画面ショットキーが押下されている間に、音声入力がある場合、その音声入力を音声認識して文字データに変換する文字データ変換手段と、前記文字データ変換手段により変換された文字データを前記第１の記録手段により記録媒体に記録された静止画データに関連付けて記録媒体に記録する第３の記録手段と、記録媒体に記録されている静止画データの一覧を放送日の新しい順に画面に表示する第１の表示手段と、前記第１の表示手段により表示された静止画データの一覧の静止画データを選択する第１の選択手段と、前記第１の選択手段により選択された静止画データを全画面表示する第２の表示手段と、前記第１の選択手段により選択された静止画データの文字データが記録媒体に記録されている場合、その文字データを前記第２の表示手段により全画面表示された静止画データの画面に重ねて表示する第３の表示手段と、前記第１の選択手段により選択された静止画データの音声データが記録媒体に記録されている場合、前記第２の表示手段により静止画データが全画面表示されている間、その音声データを繰り返して再生する音声再生手段と、所定日数経過する毎に、記録媒体に記録されている保存日数が所定日数経過した静止画データの編集画面を表示する第４の表示手段と、前記第４の表示手段により表示された静止画データの編集画面の静止画データを選択する第２の選択手段と、静止画データの消去を指令する消去指令手段と、前記消去指令手段によりにより静止画データの消去が指令されたとき、前記第２の選択手段により選択された静止画データを記録媒体から消去する消去手段とを備えたことを特徴とする記録再生装置。
【請求項２】
記録媒体に映像音声データを記録再生する記録再生装置であって、
受信中の画面の画像の取り込みを指令する画面ショットキーと、前記画面ショットキーが押下されたとき、受信中の画面の画像を静止画データとして取り込んで、取り込まれた静止画データに受信情報を付加して記録媒体に記録する第１の記録手段と、前記画面ショットキーが押下されたとき、受信中の画面の音声データを所定時間分蓄積する蓄積手段と、前記画面ショットキーが所定時間継続して押下されている場合、前記蓄積手段に蓄積された音声データを前記第１の記録手段により記録媒体に記録された静止画データに関連付けて記録する第２の記録手段と、前記画面ショットキーが所定時間以上継続して押下されている場合、コメントの音声入力中であることを画面に表示して報知する報知手段と、前記画面ショットキーが押下されている間に、音声入力がある場合、その音声入力を音声認識して文字データに変換する文字データ変換手段と、前記文字データ変換手段により変換された文字データを前記第１の記録手段により記録媒体に記録された静止画データに関連付けて記録媒体に記録する第３の記録手段とを備えたことを特徴とする記録再生装置。
【請求項３】
記録媒体に記録されている静止画データの一覧を放送日の新しい順に画面に表示する第１の表示手段と、前記第１の表示手段により表示された静止画データの一覧の静止画データを選択する第１の選択手段と、前記第１の選択手段により選択された静止画データを全画面表示する第２の表示手段と、前記第１の選択手段により選択された静止画データの文字データが記録媒体に記録されている場合、その文字データを前記第２の表示手段により全画面表示された静止画データの画面に重ねて表示する第３の表示手段と、前記第１の選択手段により選択された静止画データの音声データが記録媒体に記録されている場合、前記第２の表示手段により静止画データが全画面表示されている間、その音声データを繰り返して再生する音声再生手段とを更に備えたことを特徴とする請求項２記載の記録再生装置。
【請求項４】
前記第１の表示手段は、記録媒体に記録されている静止画データの一覧を放送日の新しい順に画面に表示する表示手段であることを特徴とする請求項３記載の記録再生装置。
【請求項５】
所定日数経過する毎に、記録媒体に記録されている保存日数が所定日数経過した静止画データの編集画面を表示する第４の表示手段と、前記第４の表示手段により表示された静止画データの編集画面の静止画データを選択する第２の選択手段と、静止画データの消去を指令する消去指令手段と、前記消去指令手段により静止画データの消去が指令されたとき、前記第２の選択手段により選択された静止画データを記録媒体から消去する消去手段とを更に備えたことを特徴とする請求項２記載の記録再生装置。
【発明の詳細な説明】
【技術分野】
【０００１】
本発明は、記録媒体に映像音声データを記録再生する記録再生装置に係り、特に受信中の画面の所望の画像を静止画データとして取り込み、その静止画データに付加情報を付けて記録媒体に記録することができる記録再生装置に関する。
【背景技術】
【０００２】
従来、ハードディスク装置を搭載した記録再生装置は、ビデオカセットテープに映像音声データを記録再生するビデオカセット装置よりも長時間の映像音声データを記録することができるようになっている。しかし、テレビ放送番組を視聴しているときに、受信中のテレビ放送番組の映像音声データをハードディスクに記録していない場合、テレビショッピングやテレビ放送で画面に表示されたテレビショッピングの商品情報や抽選で当たる懸賞の応募先等を控えておきたい場合がしばしばある。しかし、画面に表示されたテレビショッピングの商品情報や抽選で当たる懸賞の応募先等の情報の表示時間が短く、すぐに別の画面に変わってしまう。そのため、画面に表示されたテレビショッピングの商品情報や抽選で当たる懸賞の応募先等の必要な情報の情報量が多い場合、一部の情報しかメモに控えることができないという問題点があった。また、受信中の画面の所望の画像を取り込んでメモリに保存することができるようにしたテレビ装置等が製品化されているが、受信中に取り込んだ画像にユーザが容易にコメントを付けることができるようになっていないたため、画像を取りこんでから長期間経過すると、その画像がどのような画像であったか、どのような目的で取り込んだものであったかということがわからなくなり、その画像を再生してみなければ消去してよいか否かがわからず、不要な画像が消去されずにメモリの記憶領域を消費して新たな画像を保存することができなくなるという問題点があった。
背景技術としては、受信中の映像の１フレームの映像信号を取り込んでメモリに記憶し、メモリに記憶されている映像信号をリモコン装置へ送信して、送信された映像信号を受信してリモコン装置の表示部にその映像を表示するようにしたものがあった（例えば、特許文献１参照）。
また、受信中のテレビ放送の一画面の静止画面を取り込んで、取り込まれた静止画面の映像を画像メモリに数枚分記憶し、画像メモリに記憶されている映像を選択して、選択された映像を再生して表示するようにしたものがあった（例えば、特許文献２参照）。
また、テレビ放送の所望の映像情報を取り込んで、取り込まれた映像情報をフレームメモリに記憶し、フレームメモリに記憶されている映像情報を選択して、選択された映像情報を再生して表示するようにしたものがあった（例えば、特許文献３参照）。
また、画面に表示された映像を静止画として取り込んで、取り込まれた静止画を子画面に表示し、静止画に含まれる文字情報を文字認識して、文字認識された文字情報をメモリに記憶するようにしたものがあった（例えば、特許文献４参照）。
また、入力映像信号を圧縮してメモリに記憶し、メモリに記憶されている圧縮映像信号を選択して、選択された圧縮映像信号を伸張し、入力映像信号と伸張された映像信号とを合成して表示するようにしたものがあった（例えば、特許文献５参照）。
【特許文献１】特開２００２−１５８８８９号公報
【特許文献２】特開平７−３０８４３号公報
【特許文献３】特開平７−２２２０９８号公報
【特許文献４】特開２００２−４４５４４号公報
【特許文献５】特開平９−８３９２８号公報
【発明の開示】
【発明が解決しようとする課題】
【０００３】
しかしながら、背景技術で述べたもののうち最初のものにおいては、受信中の映像の１フレームの映像信号を取り込んでメモリに記憶し、メモリに記憶されている映像信号をリモコン装置へ送信して、送信された映像信号を受信してリモコン装置の表示部にその映像を表示することができたが、受信中に取り込んだ映像にユーザがコメントを付けることができるようになっていなかったため、長期間経過すると、その映像がどのような映像であったか再生しないとわからなくなるという問題点があった。
また、次のものにおいては、受信中のテレビ放送の一画面の静止画面を取り込んで、取り込まれた静止画面の映像を画像メモリに数枚分記憶し、画像メモリに記憶されている映像を選択して、選択された映像を再生して表示することができたが、上記同様、受信中に取り込んだ映像にユーザがコメントを付けることができるようになっていなかったため、長期間経過すると、その映像がどのような映像であったか再生しないとわからなくなるという問題点があった。
また、更にその次のものにおいては、テレビ放送の所望の映像情報を取り込んで、取り込まれた映像情報をフレームメモリに記憶し、フレームメモリに記憶されている映像情報を選択して、選択された映像情報を再生して表示することができたが、上記同様、受信中に取り込んだ映像にユーザがコメントを付けることができるようになっていなかったため、長期間経過すると、その映像がどのような映像であったか再生しないとわからなくなるという問題点があった。
また、更にその次のものにおいては、画面に表示された映像を静止画として取り込んで、取り込まれた静止画を子画面に表示し、静止画に含まれる文字情報を文字認識して、文字認識された文字情報をメモリに記憶することができたが、画面に表示された映像の静止画に含まれる文字情報を文字認識して、文字認識された文字情報をメモリに記憶し、その文字情報を２次的に利用することができるようにしたものであって、上記問題点を解決するようにしたものではなかった。
また、更にその次のものにおいては、入力映像信号を圧縮してメモリに記憶し、メモリに記憶されている圧縮映像信号を選択して、選択された圧縮映像信号を伸張し、入力映像信号と伸張された映像信号とを合成して表示することができたが、映像信号を圧縮して記憶することにより、限られた容量のメモリにより多くの静止画を記憶するようにしたものであって、上記問題点を解決するようにしたものではなかった。
本発明は、背景技術の有するこのような問題点に鑑みてなされたものであり、その目的とするところは、受信中の画面の所望の画像を静止画データとして取り込み、その静止画データに付加情報を付けて記録媒体に記録することができる記録再生装置を提供しようとするものである。
【課題を解決するための手段】
【０００４】
上記目的を達成するため本発明においては、記録媒体に映像音声データを記録再生する記録再生装置であって、受信中の画面の画像の取り込みを指令する画面ショットキーと、前記画面ショットキーが押下されたとき、受信中の画面の画像を静止画データとして取り込んで、取り込まれた静止画データに受信情報を付加して記録媒体に記録する第１の記録手段と、前記画面ショットキーが押下されたとき、受信中の画面の音声データを所定時間分蓄積する蓄積手段と、前記画面ショットキーが所定時間継続して押下されている場合、前記蓄積手段に蓄積された音声データを前記第１の記録手段により記録媒体に記録された静止画データに関連付けて記録する第２の記録手段と、前記画面ショットキーが所定時間以上継続して押下されている場合、コメントの音声入力中であることを画面に表示して報知する報知手段と、前記画面ショットキーが押下されている間に、音声入力がある場合、その音声入力を音声認識して文字データに変換する文字データ変換手段と、前記文字データ変換手段により変換された文字データを前記第１の記録手段により記録媒体に記録された静止画データに関連付けて記録媒体に記録する第３の記録手段とを備える。
更に、記録媒体に記録されている静止画データの一覧を放送日の新しい順に画面に表示する第１の表示手段と、前記第１の表示手段により表示された静止画データの一覧の静止画データを選択する第１の選択手段と、前記第１の選択手段により選択された静止画データを全画面表示する第２の表示手段と、前記第１の選択手段により選択された静止画データの文字データが記録媒体に記録されている場合、その文字データを前記第２の表示手段により全画面表示された静止画データの画面に重ねて表示する第３の表示手段と、前記第１の選択手段により選択された静止画データの音声データが記録媒体に記録されている場合、前記第２の表示手段により静止画データが全画面表示されている間、その音声データを繰り返して再生する音声再生手段とを備える。
前記第１の表示手段は、記録媒体に記録されている静止画データの一覧を放送日の新しい順に画面に表示するようにするとよい。
更に、所定日数経過する毎に、記録媒体に記録されている保存日数が所定日数経過した静止画データの編集画面を表示する第４の表示手段と、前記第４の表示手段により表示された静止画データの編集画面の静止画データを選択する第２の選択手段と、静止画データの消去を指令する消去指令手段と、前記消去指令手段により静止画データの消去が指令されたとき、前記第２の選択手段により選択された静止画データを記録媒体から消去する消去手段とを備える。
これらの手段により、受信中の画面の所望の画像を静止画データとして取り込み、その静止画データに付加情報を付けて記録媒体に記録することができる。
【発明の効果】
【０００５】
請求項１記載の発明に係る記録再生装置によれば、画面ショットキーが押下されたとき、受信中の画面の画像を静止画データとして取り込んで、取り込まれた静止画データに受信情報を付加して記録媒体に記録し、画面ショットキーが押下されたとき、受信中の画面の音声データを所定時間分蓄積して、画面ショットキーが所定時間継続して押下されている場合、蓄積された音声データを記録媒体に記録された静止画データに関連付けて記録し、画面ショットキーが所定時間以上継続して押下されている場合、コメントの音声入力中であることを画面に表示して報知し、画面ショットキーが押下されている間に、音声入力がある場合、その音声入力を音声認識して文字データに変換して、変換された文字データを記録媒体に記録された静止画データに関連付けて記録媒体に記録し、記録媒体に記録されている静止画データの一覧を放送日の新しい順に画面に表示して、表示された静止画データの一覧の静止画データを選択し、選択された静止画データを全画面表示して、選択された静止画データの文字データが記録媒体に記録されている場合、その文字データを全画面表示された静止画データの画面に重ねて表示し、選択された静止画データの音声データが記録媒体に記録されている場合、静止画データが全画面表示されている間、その音声データを繰り返して再生して、所定日数経過する毎に、記録媒体に記録されている保存日数が所定日数経過した静止画データの編集画面を表示し、表示された静止画データの編集画面の静止画データを選択して、静止画データの消去を指令し、静止画データの消去が指令されたとき、選択された静止画データを記録媒体から消去するようにしているので、受信中の画面の所望の画像を静止画データとして取り込み、その静止画データに付加情報を付けて記録媒体に記録することができ、取り込んだ静止画データを全画面表示して、コメントの文字データを全画面表示された静止画データに重ねて表示し、その静止画データの音声データを再生することができ、保存日数が所定日数経過した静止画データを記録媒体から消去することができる。
請求項２記載の発明に係る記録再生装置によれば、画面ショットキーが押下されたとき、受信中の画面の画像を静止画データとして取り込んで、取り込まれた静止画データに受信情報を付加して記録媒体に記録し、画面ショットキーが押下されたとき、受信中の画面の音声データを所定時間分蓄積して、画面ショットキーが所定時間継続して押下されている場合、蓄積された音声データを記録媒体に記録された静止画データに関連付けて記録し、画面ショットキーが所定時間以上継続して押下されている場合、コメントの音声入力中であることを画面に表示して報知し、画面ショットキーが押下されている間に、音声入力がある場合、その音声入力を音声認識して文字データに変換して、変換された文字データを記録媒体に記録された静止画データに関連付けて記録媒体に記録するようにしているので、受信中の画面の所望の画像を静止画データとして取り込み、その静止画データに付加情報を付けて記録媒体に記録することができる。
請求項３記載の発明に係る記録再生装置によれば、記録媒体に記録されている静止画データの一覧を放送日の新しい順に画面に表示し、表示された静止画データの一覧の静止画データを選択して、選択された静止画データを全画面表示し、選択された静止画データの文字データが記録媒体に記録されている場合、その文字データを前記第２の表示手段により全画面表示された静止画データの画面に重ねて表示し、選択された静止画データの音声データが記録媒体に記録されている場合、静止画データが全画面表示されている間、その音声データを繰り返して再生するようにしているので、取り込んだ静止画データを全画面表示して、コメントの文字データを全画面表示された静止画データに重ねて表示し、その静止画データの音声データを再生することができる。
請求項４記載の発明に係る記録再生装置によれば、記録媒体に記録されている静止画データの一覧を放送日の新しい順に画面に表示するようにしているので、
記録媒体に記録されている最新の静止画データがわかる。
請求項５記載の発明に係る記録再生装置によれば、所定日数経過する毎に、記録媒体に記録されている静止画データの編集画面を表示し、表示された静止画データの編集画面の静止画データを選択して、静止画データの消去を指令し、静止画データの消去が指令されたとき、選択された静止画データを記録媒体から消去するようにしているので、保存日数が所定日数経過した静止画データを記録媒体から消去することができる。
【発明を実施するための最良の形態】
【０００６】
以下、適宜図面を参照しながら本発明を実施するための最良の形態を詳述する。図１は本発明の一実施例の記録再生装置の構成を示すブロック図であり、図２は本発明の一実施例の記録再生装置のリモコン装置を示す説明図であり、図３は本発明の一実施例の記録再生装置の静止画データ一覧の表示例を示す図であり、図４は本発明の一実施例の記録再生装置の静止画データの編集画面の表示例を示す図であり、図５は本発明の一実施例の記録再生装置の画像取り込み動作を示すフローチャートであり、図６は本発明の一実施例の記録再生装置の画像表示動作を示すフローチャートであり、図７は本発明の一実施例の記録再生装置の編集動作を示すフローチャートである。
まず、図１の本発明の一実施例の記録再生装置の構成を示すブロック図を基に説明する。
記録再生装置１は、アンテナ１２により受信されたテレビ放送電波から選択されたチャンネルのテレビ放送番組を受信するチューナ２と、チューナ２により受信されたテレビ放送番組の映像音声データを処理する信号処理回路３と、チューナ２により受信されたテレビ放送番組の映像音声データを一時的に蓄積するバッファメモリ４と、ハードディスクに映像音声データを記録再生するＨＤＤ（Ｈａｒｄ  Ｄｉｓｋ  Ｄｒｉｖｅ）部５と、文字情報データをモニタ装置３０の画面に表示するＯＳＤ（Ｏｎ−Ｓｃｒｅｅｎ  Ｃｈａｒａｃｔｅｒ  Ｄｉｓｐｌａｙ）回路６と、記録再生装置１のシステム全体を制御するマイコン７と、マイク９から入力された音声を音声認識して文字データに変換する音声認識回路８と、日付と時刻とを管理する時計回路１０と、リモコン装置２０から送信された赤外線信号のリモコン信号を受信して所定の電気信号に変換するリモコン受信部１１とで構成されている。
また、リモコン装置２０には、図２に示すように、記録再生装置の各種設定値を設定するためのメニュ画面の表示を指令するメニュキー２０ａ、テレビ放送のチャンネルを入力するテンキー２０ｂ、画面に表示されている画像の取り込みを指令する画面ショットキー２０ｃ、画面に表示された選択項目を選択するカーソルキー２０ｄ、カーソルキー２０ｄにより選択された選択項目の選択を決定する決定キー２０ｅ、映像音声データの再生停止、静止画データの表示停止等の停止を指令する停止キー２０ｆ等の複数の操作キーが設けられていて、それらの操作キーを操作することにより記録再生装置１を所望動作させることができるようになっている。
以上のように構成された記録再生装置について、以下その動作について説明する。
テレビ放送番組の視聴中に、リモコン装置２０の画面ショットキー２０ｃが押下されると、マイコン７は、ＨＤＤ部５に制御信号を送出して、受信中の画面の画像を静止画データとして取り込んで、その静止画データに放送チャンネル、放送日、放送時刻の受信情報を付加してハードディスクに記録し、それと同時に、信号処理回路３に制御信号を送出して、その受信中の画面の音声データを所定時間分、例えば、６０秒分バッファメモリ４に蓄積する。また、リモコン装置２０の画面ショットキー２０ｃが所定時間、例えば、３秒長押しされている場合、信号処理回路３とＨＤＤ部５とに制御信号を送出して、バッファメモリ４に蓄積された音声データをハードディスクに記録された静止画データに関連付けてハードディスクに記録する。また、リモコン装置２０の画面ショットキー２０ｃが所定時間以上、例えば、５秒以上長押しされている場合、マイコン７は、文字データと制御信号とをＯＳＤ回路６に送出して、静止画データのコメントの文字データを作成する音声入力中であることをモニタ装置３０の画面に表示してユーザにその旨を報知し（図示せず）、リモコン装置２０の画面ショットキー２０ｃが押下されている間に、マイク９からの音声入力がある場合、音声認識回路８によりその音声入力を音声認識して文字データに変換し、変換された文字データと制御信号とをＨＤＤ部５に送出して、静止画データのコメントの文字データをハードディスクに記録された静止画データに関連付けてハードディスクに記録する。
リモコン装置２０のカーソルキー２０ｄと決定キー２０ｅとの操作によりメニュ画面（図示せず）の静止画データ一覧が選択されると、マイコン７は、ＨＤＤ部５に制御信号を送出し、文字データと制御信号とをＯＳＤ回路６に送出して、ハードディスクに記録されている静止画データの一覧を放送日の新しい順にモニタ装置３０の画面３０ａに表示し、カーソル位置の静止画データをハイライト表示する（図３参照。なお、図３において、ハイライト表示を枠表示で示している。また、図３において、静止画データにコメントの文字データを文字Ａ、Ｂ、Ｃで示している）。
リモコン装置２０のカーソルキー２０ｄと決定キー２０ｅとの操作により静止画データの一覧に表示された静止画データが選択された場合、マイコン７は、信号処理回路３とＨＤＤ部５とに制御信号を送出して、ハードディスクに記録されている選択された静止画データをモニタ装置３０の画面に全画面表示する（図示せず）。そして、選択された静止画データの文字データがハードディスクに記録されている場合、マイコン７は、ＨＤＤ部５に制御信号を送出して、ハードディスクに記録されている選択された静止画データのコメントの文字データと制御信号とをＯＳＤ回路に６に送出して、そのコメントの文字データを読み出し、その文字データをモニタ装置３０の画像データの表示画面に重ねて表示する（図示せず）。また、選択された静止画データの音声データがハードディスクに記録されている場合、マイコン７は、ＨＤＤ部５に制御信号を送出して、選択された画像データが全面表示されている間、ハードディスクに記録されている選択された静止画データの音声データを繰り返して再生する。リモコン装置２０の停止キーが押下されると、マイコン７は、ＨＤＤ部５に制御信号を送出して、音声データの再生を停止し、文字データと制御信号とをＯＳＤ回路に６に送出して、静止画データの全画面表示を停止して静止画データの一覧をモニタ装置３０の画面に再表示する（図３参照）。また、リモコン装置２０のカーソルキー２０ｄと決定キー２０ｅとの操作により静止画データの一覧の表示の終了が選択された場合、マイコン７は、ＯＳＤ回路６に制御信号を送出して、静止画データの一覧の表示を終了する。
時計回路１０から送出された日付データが所定日数、例えば、１ヶ月経過する毎に、マイコン７は、ＨＤＤ部５に制御信号を送出し、文字データと制御信号とをＯＳＤ回路６に送出して、保存日数が所定日数、例えば、１ヶ月経過した静止画データの編集画面に表示し、カーソル位置の静止画データをハイライト表示する（図４参照。なお、図４において、ハイライト表示を枠表示で示している）。リモコン装置２０のカーソルキー２０ｄと決定キー２０ｅとの操作により静止画データの編集画面に表示された静止画データが選択され、選択された静止画データの消去が選択された場合、マイコン７は、ＨＤＤ部５に制御信号を送出して、選択された静止画データとその音声データ、文字データとをハードディスクから消去する。リモコン装置２０のカーソルキー２０ｄと決定キー２０ｅとの操作により静止画データの編集画面の編集終了が選択された場合、マイコン７は、ＯＳＤ回路６に制御信号を送出して、静止画データの編集画面の表示を終了する。
また、図５の本発明の一実施例の記録再生装置の画像取り込み動作を示すフローチャートを基に説明する。
テレビ放送番組の視聴中に、リモコン装置の画面ショットキーが押下されると、ステップＳ１からステップＳ２に進み、ステップＳ２で、受信中の画面の映像が静止画データとして取り込まれ、取り込まれた静止画データに受信情報が付加されてハードディスクに記録され、それと同時に、その受信中の画面の音声データが所定時間分バッファメモリに蓄積されて、ステップＳ３に進む。
ステップＳ３で、リモコン装置の画面ショットキーが所定時間長押しされているか否かが判断され、リモコン装置の画面ショットキーが所定時間長押しされている場合、ステップＳ４に進み、リモコン装置の画面ショットキーが所定時間長押しされていない場合、ステップＳ１０に進んで処理を終了する。
ステップＳ４で、バッファメモリに蓄積された音声データがハードディスクに記録された静止画データに関連付けられてハードディスクに記録され、ステップＳ５に進む。
ステップＳ５で、リモコン装置の画面ショットキーが所定時間以上長押しされているか否かが判断され、リモコン装置の画面ショットキーが所定時間以上長押しされている場合、ステップＳ６に進み、リモコン装置の画面ショットキーが所定時間以上長押しされていない場合、ステップＳ１０に進んで処理を終了する。
ステップＳ６で、コメントの音声入力中である旨が画面に表示されて、ステップＳ７に進む。
ステップＳ７で、音声入力があるか否かが判断され、音声入力がある場合、ステップＳ８に進み、音声入力がない場合、ステップＳ１０に進んで処理を終了する。
ステップＳ８で、音声入力が音声認識されて文字データに変換され、文字データがハードディスクに記録された静止画データに関連付けられてハードディスクに記録され、ステップＳ９に進む。
ステップＳ９で、リモコン装置の画面ショットキーが押下されているか否かが判断され、リモコン装置の画面ショットキーが押下されている場合、ステップＳ８に戻って、ステップＳ８からのステップを繰り返し、リモコン装置の画面ショットキーが押下されていない場合、ステップＳ１０に進んで処理を終了する。
また、図６の本発明の一実施例の記録再生装置の画像表示動作を示すフローチャートを基に説明する。
リモコン装置のカーソルキーと決定キーとの操作によりメニュ画面の静止画データ一覧の表示が選択されると、ステップＳ１１からステップＳ１２に進み、ステップＳ１２で、ハードディスクに記録されている静止画データの一覧が放送日の新しい順に画面に表示されて、ステップＳ１３に進む。
ステップＳ１３で、カーソル位置の静止画データがハイライト表示され、ステップＳ１４に進む。
ステップＳ１４で、リモコン装置のカーソルキーと決定キーとの操作により静止画データ一覧の表示の終了が選択されたか否かが判断され、静止画データ一覧の表示の終了が選択された場合、ステップＳ２２に進んで処理を終了し、静止画データ一覧の表示の終了が選択されていない場合、ステップＳ１５に進む。
ステップＳ１５で、リモコン装置のカーソルキーと決定キーとの操作により静止画データ一覧に表示された静止画データが選択されたか否かが判断され、静止画データ一覧に表示された静止画データが選択された場合、ステップＳ１６に進み、静止画データ一覧に表示された静止画データが選択されていない場合、ステップＳ１３に戻って、ステップＳ１３からのステップを繰り返す。
ステップＳ１６で、選択された静止画データが全画面表示されて、ステップＳ１７に進む。
ステップＳ１７で、選択された静止画データの文字データがハードディスクに記録されているか否かが判断され、選択された静止画データの文字データがハードディスクに記録されている場合、ステップＳ１８に進み、選択された静止画データの文字データがハードディスクに記録されていない場合、ステップＳ１９に進む。
ステップＳ１８で、選択された静止画データの文字データが画像データの表示画面に重ねて表示され、ステップＳ１９に進む。
ステップＳ１９で、選択された静止画データの音声データがハードディスクに記録されているか否かが判断され、選択された静止画データの音声データがハードディスクに記録されている場合、ステップＳ２０に進み、選択された静止画データの音声データがハードディスクに記録されていない場合、ステップＳ２１に進む。
ステップＳ２０で、選択された静止画データの音声データが再生されて、ステップＳ２１に進む。
ステップＳ２１で、リモコン装置の停止キーが押下された否かが判断され、リモコン装置の停止キーが押下された場合、ステップＳ１２に戻って、ステップＳ１２からのステップを繰り返し、リモコン装置の停止キーが押下されていない場合、ステップＳ１９に戻って、ステップＳ１９からのステップを繰り返す。
また、図７の本発明の一実施例の記録再生装置の編集動作を示すフローチャートを基に説明する。
所定日数経過する毎に、ステップＳ３１からステップＳ３２に進み、ステップＳ３２で、保存日数が所定日数経過した静止画データの編集画面が表示されて、ステップＳ３３に進む。
ステップＳ３３で、カーソル位置の静止画データがハイライト表示されて、ステップＳ３４に進む。
ステップＳ３４で、リモコン装置のカーソルキーと決定キーとの操作により静止画データの編集画面に表示された静止画データが選択されたか否かが判断され、静止画データの編集画面に表示された静止画データが選択された場合、ステップＳ３５に進み、静止画データの編集画面に表示された静止画データが選択されていない場合、ステップＳ３３に戻って、ステップＳ３３からのステップを繰り返す。
ステップＳ３５で、リモコン装置のカーソルキーと決定キーとの操作により、選択された静止画データの消去が選択されたか否かが判断され、選択された静止画データの消去が選択された場合、ステップＳ３６に進み、選択された静止画データの消去が選択されていない場合、ステップＳ３７に進む。
ステップＳ３６で、選択された静止画データとその音声データ、文字データがハードディスクから消去されて、ステップＳ３７に進む。
ステップＳ３７で、リモコン装置のカーソルキーと決定キーとの操作により静止画データの編集画面の編集終了が選択されたか否かが判断され、静止画データの編集画面の編集終了が選択された場合、ステップＳ３８に進んで処理を終了し、静止画データの編集画面の編集終了が選択されていない場合、ステップＳ３２に戻って、ステップＳ３２からのステップを繰り返す。
以上、本発明を実施するための最良の形態について詳述したが、本発明はこれに限定されるものではなく、当業者の通常の知識の範囲内でその変形や改良が可能であることはいうまでもない。受信中の画面の所望の画像を静止画データとして取り込み、その静止画データに付加情報を付けてハードディスクに記録することを説明したが、記録媒体は、ハードディスクに限らず、ビデオカセットテープ、光ディスク、半導体メモリ等の他の記録媒体であってもよい。
【図面の簡単な説明】
【０００７】
【図１】本発明の一実施例の記録再生装置の構成を示すブロック図である。
【図２】本発明の一実施例の記録再生装置のリモコン装置を示す説明図である。
【図３】本発明の一実施例の記録再生装置の静止画データ一覧の表示例を示す図である。
【図４】本発明の一実施例の記録再生装置の静止画データの編集画面の表示例を示す図である。
【図５】本発明の一実施例の記録再生装置の画像取り込み動作を示すフローチャートである。
【図６】本発明の一実施例の記録再生装置の画像表示動作を示すフローチャートである。
【図７】本発明の一実施例の記録再生装置の編集動作を示すフローチャートである。
【符号の説明】
【０００８】
１  記録再生装置
２  チューナ
３  信号処理回路
４  バッファメモリ
５  ＨＤＤ部
６  ＯＳＤ回路
７  マイコン
８  音声認識回路
９  マイク
１０  時計回路
１１  リモコン受信部
１２  アンテナ
２０  リモコン装置
２０ａ  メニュキー
２０ｂ  テンキー
２０ｃ  画面ショットキー
２０ｄ  カーソルキー
２０ｅ  決定キー
２０ｆ  停止キー
３０  モニタ装置
３０ａ  画面
【図１】
2007180744.tif 000003
【図２】
2007180744.tif 000004
【図３】
2007180744.tif 000005
【図４】
2007180744.tif 000006
【図５】
2007180744.tif 000007
【図６】
2007180744.tif 000008
【図７】
2007180744.tif 000009